(57)【特許請求の範囲】
【請求項１】
次の（Ａ）成分、（Ｂ）成分、（Ｃ）成分、（Ｄ）成分、及び水から選択される成分を含む剤の組み合わせからなり、（Ａ）成分と（Ｃ）成分が別の剤に配合されている、酸化性組成物用多剤型物品であって、２０℃でのｐＨが１０以上、１３以下である酸化性組成物の調製用であり、酸化性組成物が硬質表面の漂白用又は漂白洗浄用である、酸化性組成物用多剤型物品。
（Ａ）成分：下記一般式（Ａ１）で表される化合物及びその塩から選択される１以上の化合物
（Ｂ）成分：有機過酸前駆体及び有機過酸からなる群から選択される１以上の化合物
（Ｃ）成分：過酸化水素及び水中で過酸化水素を生成する過酸化物からなる群から選択される１以上の化合物
（Ｄ）成分：アルカリ金属の水酸化物、アルカリ金属の炭酸塩、アルカリ土類金属の水酸化物、アルカリ土類金属の炭酸塩、モノエタノールアミン、ジエタノールアミン及びトリエタノールアミンからなる群から選択される１以上のアルカリ剤
【化１】
0006404048.tif 000011
［式（Ａ１）中、Ｒ１〜Ｒ５は、それぞれ独立に、水素原子、炭素数１以上、３以下のアルコキシ基、及び−（Ｒ６）ｘＣＯＯＲ７からなる群から選択される原子又は基を示す。Ｒ６は、２重結合を有していてもよい炭素数１以上、６以下の炭化水素基を示し、Ｒ７は、水素原子を示し、ｘは、０又は１の数を示す。Ｒ１〜Ｒ５のうち少なくとも１つは、−（Ｒ６）ｘＣＯＯＲ７である。］
【請求項２】
（Ａ）成分を０．０１質量％以上、１０質量％以下含有し、（Ａ）成分に対する（Ｂ）成分の質量比［（Ｂ）／（Ａ）］が０．１以上、５０以下であり、（Ａ）成分に対する（Ｃ）成分の質量比［（Ｃ）／（Ａ）］が０．１以上、５０以下である酸化性組成物の調製用である、請求項１記載の酸化性組成物用多剤型物品。
【請求項３】
（Ｂ）成分が、下記一般式（Ｂ１）で表される有機過酸前駆体である、請求項１又は２記載の酸化性組成物用多剤型物品。
【化２】
0006404048.tif 000012
［式中、Ｒ11bは炭素数５以上、１９以下のアルキル基又はアルケニル基、Ｚは、ＳＯ3Ｍ又はＣＯＯＭ、Ｍは陽イオンを示す。］
【請求項４】
（Ａ）成分、（Ｄ）成分及び水を含有する第１の液体組成物からなる第１の剤と、（Ｂ）成分、（Ｃ）成分及び水を含有する第２の液体組成物からなる第２の剤との組み合わせを含み、前記第１の剤と第２の剤とを分離した状態で保持し、第１の剤と第２の剤が混合されて、（Ａ）成分、（Ｂ）成分、（Ｃ）成分、（Ｄ）成分及び水を含有する酸化性組成物が調製される、請求項１〜３の何れか１項記載の酸化性組成物用多剤型物品。
【発明の詳細な説明】
【技術分野】
【０００１】
本発明は、酸化性組成物用多剤型物品に関する。詳しくは、住環境設備等に使用する漂白剤組成物や漂白洗浄剤組成物として好適な酸化性組成物を調製するための酸化性組成物用多剤型物品に関する。
【背景技術】
【０００２】
酸化性組成物は、他の物質に対して酸化作用を有する化合物を含む組成物である。この酸化作用は、有色物質に対しては、脱色、漂白、変色などの現象として認識され得るものである。酸化性組成物は、風呂・トイレ・台所等の硬質表面の漂白、カビ取り、衣類の漂白、汚れ・匂い原因物質の分解、除菌、パルプの漂白、繊維の精練などの様々な用途に用いられている。すなわち、硬質表面への適用として、硬質表面の脱色、漂白などの色素の変質に酸化性組成物を用いることが知られている。
【０００３】
生活環境において発生する様々な汚れに対し、外観上の美観維持、衛生などの目的から、洗浄、漂白、除菌などの対処が行なわれている。なかでも、トイレ、浴室、風呂釜、配水管などの洗浄し難い場所の汚れは、界面活性剤などを主成分とした洗浄剤のみでは除去困難であり、しばしば漂白剤が使用されている。一例を挙げると、浴室の浴槽、タイル目地、ドア枠、窓枠、コントローラや、台所の三角コーナーなどの黒ずみ汚れはＣｌａｄｏｓｐｏｒｉｕｍ属細菌等のカビが生産する色素が原因であり、クレンザーや界面活性剤だけでは除去し難いので、次亜塩素酸ナトリウム水溶液の漂白作用により除去する方法が一般に行われている。
【０００４】
しかしながら、次亜塩素酸ナトリウムを使用したカビ取り剤は、漂白及び洗浄性能は優れているが目や皮膚に対する刺激が強く、特有の塩素系の臭いを有し狭い浴室などで使用する場合には注意が必要であり、また、誤って酸性の洗浄剤と混合すると有毒ガスを発生するという問題がある。
【０００５】
このため、このような課題の発生しない酸化性組成物として、酸素系漂白剤を使用したカビ取り剤の提案がされている。例えば、特許文献１には、過酸化水素、アルカリ剤及び漂白活性化剤を併用した硬表面用漂白剤組成物が開示されている。
【０００６】
また、特許文献２には、水に溶解して過酸化水素を発生する過酸化物、キレート剤、銅化合物及びバインダー化合物とからなる高い殺菌・除菌効果を発揮する組成物が開示されている。
【０００７】
また、特許文献３には過酸化水素を含有し特定の緩衝能を有するＡ剤、並びに、アルカリ剤を含有するＢ剤からなる２剤型漂白剤が開示されている。
【先行技術文献】
【特許文献】
【０００８】
【特許文献１】特開平３−２２０２９８号公報
【特許文献２】特開２００９−１５５２９２号公報
【特許文献３】特開２００３−４１２９６号公報
【発明の概要】
【発明が解決しようとする課題】
【０００９】
しかしながら、カビ汚れは除去困難な強固な汚れであり、従来提案されている酸素系漂白剤を使用したカビ取り剤等は、更なる性能向上が望まれる。本発明は、カビ汚れなどの除去困難な汚れに対する漂白性能や漂白洗浄性能を向上させた酸素系漂白剤組成物ないし酸素系漂白洗浄剤組成物として好適な酸化性組成物用の多剤型物品を提供するものである。
【課題を解決するための手段】
【００１０】
本発明は、次の（Ａ）成分、（Ｂ）成分、（Ｃ）成分、（Ｄ）成分、及び水から選択される成分を含む剤の組み合わせからなり、（Ａ）成分と（Ｃ）成分が別の剤に配合されている、酸化性組成物用多剤型物品に関する。
（Ａ）成分：下記一般式（Ａ１）で表される化合物及びその塩から選択される１以上の化合物
（Ｂ）成分：有機過酸前駆体及び有機過酸からなる群から選択される１以上の化合物
（Ｃ）成分：過酸化水素及び水中で過酸化水素を生成する過酸化物からなる群から選択される１以上の化合物
（Ｄ）成分：アルカリ金属の水酸化物、アルカリ金属の炭酸塩、アルカリ土類金属の水酸化物、アルカリ土類金属の炭酸塩、モノエタノールアミン、ジエタノールアミン及びトリエタノールアミンからなる群から選択される１以上のアルカリ剤
【００１１】
【化１】
0006404048.tif 000002
【００１２】
［式（Ａ１）中、Ｒ１〜Ｒ５は、それぞれ独立に、水素原子、水酸基、炭素数１以上、３以下のアルコキシ基、及び−（Ｒ６）ｘＣＯＯＲ７からなる群から選択される原子又は基を示す。Ｒ６は、２重結合を有していてもよい炭素数１以上、６以下の炭化水素基を示し、Ｒ７は、水素原子、又は炭素数１以上、３以下の炭化水素基を示し、ｘは、０又は１の数を示す。Ｒ１〜Ｒ５のうち少なくとも１つは、−（Ｒ６）ｘＣＯＯＲ７である。］
【発明の効果】
【００１３】
本発明によれば、カビ汚れなどの除去困難な対象汚れに対して、優れた漂白性能を発現する、漂白剤組成物や漂白洗浄剤組成物として好適な酸化性組成物を調製できる酸化性組成物用多剤型物品が提供される。
【発明を実施するための形態】
【００１４】
＜（Ａ）成分＞
（Ａ）成分は、前記一般式（Ａ１）で表される化合物及びその塩から選択される１以上の化合物である。
一般式（Ａ１）で表される化合物は、−（Ｒ６）ｘＣＯＯＲ７を少なくとも１つ有する。
Ｒ６は、２重結合を有していてもよい炭素数１以上、６以下の炭化水素基であり、アルキレン基、又はアルケニレン基が挙げられる。Ｒ６は炭素数２以上、４以下が好ましく、２以上、３以下がより好ましく、２が更に好ましい。
Ｒ７は、水素原子、又は炭素数１以上、３以下の炭化水素基を示し、水素原子又は炭素数１以上、２以下の炭化水素基が好ましく、水素原子又はメチル基がより好ましく、水素原子が更に好ましい。
式（Ａ１）中、−（Ｒ６）ｘＣＯＯＲ７以外のＲ１〜Ｒ５は、水素原子及び炭素数１以上、３以下のアルコキシ基から選ばれる原子又は基が好ましく、水素原子及びメトキシ基から選ばれる原子又は基がより好ましく、全て水素原子であることがより好ましい。Ｒ１〜Ｒ５の炭素数１以上、３以下のアルコキシ基は、炭素数１のメトキシ基が好ましい。
（Ａ）成分は、前記一般式（Ａ１）で表される化合物の塩として含有することができる。（Ａ）成分の塩は、アルカリ金属塩が好ましく、ナトリウム塩がより好ましい。
【００１５】
（Ａ）成分の好ましい化合物を以下に示す。化合物１〜６は、後述の実施例で用いた化合物の番号と一致する。
【００１６】
【化２】
0006404048.tif 000003
【００１７】
【化３】
0006404048.tif 000004
【００１８】
（Ａ）成分は、漂白性能向上の観点からは、Ｒ１〜Ｒ５のうち、好ましくは１つ以上、そして、好ましくは３つ以下、より好ましくは２以下が−（Ｒ６）ｘＣＯＯＲ７であり、更に好ましくは１つが−（Ｒ６）ｘＣＯＯＲ７である。
Ｒ１〜Ｒ５のうち、１つが−（Ｒ６）ｘＣＯＯＲ７である場合、−（Ｒ６）ｘＣＯＯＲ７は水酸基に対してパラ位又はオルト位であることが好ましく、パラ位であることがより好ましい。
【００１９】
（Ａ）成分は、漂白性能向上の観点からは、ｐ−クマル酸、ｐ−３−（４−ヒドロキシフェニル）プロピオン酸、シナピン酸、ｐ−ヒドロキシ安息香酸、サリチル酸、パラオキシ安息香酸メチル、及びそれらの塩から選ばれる１種又は２種以上が好ましい。
また、（Ａ）成分は、漂白性能向上の観点からは、ｐ−クマル酸、ｐ−３−（４−ヒドロキシフェニル）プロピオン酸、及びそれらの塩から選ばれる１種又は２種以上が好ましく、ｐ−クマル酸、又はその塩がより好ましく、ｐ−クマル酸の塩がより好ましい。
【００２０】
＜（Ｂ）成分＞
（Ｂ）成分は、有機過酸前駆体及び有機過酸からなる群から選択される１以上の化合物である。
【００２１】
漂白性能を高める観点と、組成物中での安定性が高い観点から、（Ｂ）成分としては、下記一般式（Ｂ１）で表される有機過酸前駆体である化合物が好ましい。
【００２２】
【化４】
0006404048.tif 000005
【００２３】
［式中、Ｒ11bは炭素数５以上、１９以下のアルキル基又はアルケニル基、Ｚは、ＳＯ3Ｍ又はＣＯＯＭ、Ｍは陽イオンを示す。］
【００２４】
また、組成物中での安定性を更に高める観点から、一般式（Ｂ１）におけるＲ11bは、好ましくは炭素数８以上であり、更には９以上、更には１０以上、更には１１以上である。また、過酸化水素と有効に反応し、効率よく有機過酸を生成するために、一般式（Ｂ１）におけるＲ11bは、炭素数１９以下であり、好ましくは１５以下であり、更には１３以下、更には１１以下である。
【００２５】
組成物中での安定性を更に高め、また、過酸化水素と有効に反応し、効率よく有機過酸を生成するために、一般式（Ｂ１）におけるＲ11bは、炭素数１１であることがより好ま
しい。また、一般式（Ｂ１）におけるＲ11bは、アルキル基が好ましい。
【００２６】
一般式（Ｂ１）におけるＭの陽イオンとしては、Ｎａ、Ｋ等のアルカリ金属イオン、アンモニウムイオン、炭素数３以上、１５以下、更に炭素数７以上、１５以下のアルキルアンモニウムイオン、モノエタノールアンモニウムイオン、ジエタノールアンモニウムイオン、トリエタノールアンモニウムイオン等が挙げられ、アルカリ金属イオンが好ましい。
【００２７】
本発明の（Ｂ）成分としては、アルカノイル基の炭素数が６以上、２０以下のアルカノイルオキシベンゼンスルホン酸塩及びアルカノイル基の炭素数が６以上、２０以下のアルカノイルオキシベンゼンカルボン酸塩からなる群から選択される１以上の化合物が好ましく、アルカノイル基の炭素数が６以上、２０以下のアルカノイルオキシベンゼンスルホン酸塩がより好ましい。これらのアルカノイル基の炭素数は、１６以下であり、更には１４以下、更には１２以下が好ましい。
【００２８】
＜（Ｃ）成分＞
（Ｃ）成分は、過酸化水素及び水中で過酸化水素を生成する過酸化物からなる群から選択される１以上の化合物である。
【００２９】
水中で過酸化水素を生成する過酸化物としては、無機過酸化物、過酸化水素付加物が挙げられ、好ましくは、過炭酸塩、トリポリリン酸塩・過酸化水素付加物、ピロリン酸塩・過酸化水素付加物、尿素・過酸化水素付加物、硫酸塩・過酸化水素付加物、過ホウ酸塩、過ケイ酸塩、過酸化塩であり、より好ましくは、過炭酸ナトリウム、トリポリリン酸ナトリウム・過酸化水素付加物、ピロリン酸ナトリウム・過酸化水素付加物、尿素・過酸化水素付加物、又は４Ｎａ2ＳＯ4・２Ｈ2Ｏ2、過ホウ酸ナトリウム一水和物、過ホウ酸ナトリウム四水化物、過ケイ酸ナトリウム、過酸化ナトリウム、過酸化カルシウム等である。
【００３０】
（Ｃ）成分は、過酸化水素、過炭酸ナトリウム及び過ホウ酸ナトリウムからなる群から選択される１以上の化合物が好ましく、過酸化水素がより好ましい。
【００３１】
＜（Ｄ）成分＞
（Ｄ）成分は、アルカリ金属の水酸化物、アルカリ金属の炭酸塩、アルカリ土類金属の水酸化物、アルカリ土類金属の炭酸塩、モノエタノールアミン、ジエタノールアミン及びトリエタノールアミンからなる群から選択される１以上のアルカリ剤である。
【００３２】
漂白性能を高める観点から、（Ｄ）成分は、アルカリ金属の水酸化物及びアルカリ金属の炭酸塩からなる群から選択される１以上のアルカリ剤が好ましく、アルカリ金属の水酸化物から選択される１以上のアルカリ剤が好ましい。（Ｄ）成分は、水酸化ナトリウム、水酸化カリウム、炭酸ナトリウム及び炭酸カリウムからなる群から選択される１以上のアルカリ剤がより好ましく、水酸化ナトリウム及び水酸化カリウムからなる群から選択される１以上のアルカリ剤が更に好ましい。
【００３３】
＜酸化性組成物＞
本発明の酸化性組成物用多剤型物品は、（Ａ）〜（Ｄ）成分を複数の剤に分配して組み合わせた物品であり、当該複数の剤が混合されて酸化性組成物（以下、本発明の酸化性組物という）が調製される。本発明の多剤型物品は、（Ａ）成分と（Ｃ）成分は別の剤に配合されているため、少なくとも２つの剤を含む。
【００３４】
以下、本発明の酸化性組成物における各成分の含有量、ｐＨ、含有させることのできる成分等を示す。含有量やｐＨは、本発明の酸化性組成物使用時における各成分の含有量及びｐＨとして位置付けることができる。すなわち、特に記載のない場合は、酸化性組成物全体に対する含有割合、ｐＨを表している。本発明の酸化性組成物用多剤型物品は、下記の好ましい態様を１つ以上満たす酸化性組成物の調製用であることが好ましい。
【００３５】
本発明の酸化性組成物は、漂白性能を高める観点から、（Ａ）成分を、酸型化合物に換算した量で、０．００１質量％以上、更に０．０１質量％以上、更に０．１質量％以上、更に０．５質量％以上、更に０．７質量％以上、０．８質量％以上含有することが好ましく、そして、経済的な観点から、１０質量％以下、更に５質量％以下、更に２質量％以下含有することが好ましい。以下、（Ａ）成分の量は、特記しない限り、酸型化合物に換算した量をいう。
【００３６】
本発明の酸化性組成物は、漂白性能を高める観点から、（Ｂ）成分を、０．０１質量％以上、更に０．１質量％以上、更に１質量％以上、更に２質量％以上含有することが好ましく、そして、保存安定性の観点から３０質量％以下、更に２０質量％以下、更に１０質量％以下、更に５質量％以下、更に３質量％以下含有することが好ましい。
【００３７】
本発明の酸化性組成物は、漂白性能を高める観点から、（Ｃ）成分を、過酸化水素として、０．０１質量％以上、更に０．１質量％以上、更に０．５質量％以上、更に１質量％以上、更に１.４質量％以上含有することが好ましく、そして、保存安定性の観点から、５０質量％以下、更に３０質量％以下、更に２０質量％以下、更に１０質量％以下、更に５質量％以下、更に２質量％以下、更に１．６質量％以下含有することが好ましい。以下、（Ｃ）成分の量は、特記しない限り、過酸化水素としての量をいう。
【００３８】
（Ａ）成分の含有量に対する（Ｂ）成分の含有量の質量比［（Ｂ）／（Ａ）］は、漂白性能を高める観点から、０．１以上、更に０．２以上、更に０．５以上、更に１以上、更に１．５以上が好ましく、そして、５０以下、更に３０以下、更に２０以下、更に１５以下、更に１０以下、更に５以下、更に３以下が好ましい。
【００３９】
（Ａ）成分の含有量に対する（Ｃ）成分の含有量の質量比［（Ｃ）／（Ａ）］は、漂白性能を高める観点から、０．１以上、更に０．２以上、更に０．５以上、更に１以上、が好ましく、そして、５０以下、更に３０以下、更に２０以下、更に１５以下、更に１０以下、更に８以下が好ましい。
【００４０】
（Ｂ）成分の含有量に対する（Ｃ）成分の含有量の質量比［（Ｃ）／（Ｂ）］は、漂白性能を高める観点から、０．０１以上、更に０．０５以上、更に０．１以上、更に０．３以上、更に０．５以上、更に１以上、更に１．２以上が好ましく、そして、５０以下、更に３０以下、更に２０以下、更に１０以下、更に５以下、更に３以下が好ましい。
【００４１】
（Ｂ）成分の含有量と（Ｃ）成分の含有量の合計に対する（Ａ）成分の含有量の質量比、（Ａ）／［（Ｂ）＋（Ｃ）］は、漂白性能を高める観点から、０．０１以上、更に０．０５以上、更に０．１以上、更に０．１５以上、が好ましく、そして、２０以下、更に１０以下、更に５以下、更に３以下、更に１以下、更に０．５以下、更に０．２５以下が好ましい。
【００４２】
本発明の酸化性組成物において、（Ｄ）成分は、使用時のｐＨが、２０℃で１０以上、１２．５以下となる量を含有することが好ましい。
本発明の酸化性組成物は、漂白性能を高める観点から、（Ｄ）成分を、０．０１質量％以上、更に０．１質量％以上、更に１質量％以上、更に１．３質量％以上含有することが好ましく、そして、漂白性能を高める観点から、５０質量％以下、更に３０質量％以下、更に２０質量％以下、更に１０質量％以下、更に５質量％以下、更に２質量％以下含有することが好ましい。
【００４３】
＜（Ｅ）成分＞
本発明の酸化性組成物は、（Ｅ）成分として、界面活性剤を含有することが好ましい。
【００４４】
（Ｅ）成分としては、ノニオン界面活性剤、カチオン界面活性剤、両性界面活性剤及びアニオン界面活性剤からなる群から選択される１以上の界面活性剤が挙げられる。
（Ｅ）成分は、ノニオン界面活性剤、両性界面活性剤及びアニオン界面活性剤からなる群から選択される１以上の界面活性剤が好ましく、ノニオン界面活性剤、及び両性界面活性剤から選択される１以上の界面活性剤がより好ましく、ノニオン界面活性剤から選択される１以上の界面活性剤が更に好ましい。
【００４５】
ノニオン界面活性剤としては、一般式（Ｅ１−１）で表される化合物及び一般式（Ｅ１−２）で表される化合物から選ばれる化合物が好ましく、一般式（Ｅ１−１）で表される化合物がより好ましい。
Ｒ11e−Ｘ−（ＡＯ）m−Ｙ      （Ｅ１−１）
〔式中、Ｒ11eは、直鎖又は分岐鎖の炭素数６以上、２２以下のアルキル基又はアルケニル基及び直鎖又は分岐鎖の炭素数１以上、１８以下のアルキル基で置換されていてもよいアリール基からなる群から選択される基を示す。Ｘは−Ｏ−又は−ＣＯＯ−を示す。Ａは直鎖又は分岐鎖の炭素数２以上、３以下のアルキレン基を示し、ｍ個のＡは同一でも異なっていてもよい。ＹはＨ又は炭素数１以上、３以下のアルキル基を示す。ｍは、ＡＯの平均付加モル数であり、３以上、５０以下の数を示す。〕
Ｒ11e'−(ＯＲ12e')xＧy        （Ｅ１−２）
〔式中、Ｒ11e'は炭素数８以上、１８以下の分岐鎖又は直鎖である１価の脂肪族炭化水素基、Ｒ12e'は炭素数２以上、４以下のアルキレン基、Ｇは還元糖に由来する残基、ｘは平均値で０以上、６以下の数、ｙは平均値で１以上、１０以下の数を示す。〕
【００４６】
一般式（Ｅ１−１）においてＡ基はエチレン基又はプロピレン基（好ましくはエチレン基）を示すことが好ましいが、これらはブロック型に重合してもよく、ランダム型に重合してもよい。Ｒ11eは、直鎖又は分岐鎖の炭素数６以上、１８以下のアルキル基であることが好ましく、Ｘは−Ｏ−が好ましく、ＹはＨであることが好ましい。ｍは、３以上、１５以下であることが好ましい。
【００４７】
一般式（Ｅ１−２）において、好ましいｘの値は０以上、２以下であり、より好ましくは０である。また、ｙの平均値は好ましくは１以上、５以下、より好ましくは１以上、１．５以下、より更に好ましくは１．１以上、１．４以下である。尚、ｙの測定値はプロトンＮＭＲ法によるものである。好ましい原料は、それらの入手容易性及びコストの点から、単糖類ではグルコース及びフルクトースであり、２糖類以上ではマルトース及びスクロースである。Ｒ11e'は、直鎖又は分岐鎖の総炭素数８以上、１６以下のアルキル基が好ましい。
【００４８】
カチオン界面活性剤としては、一般式（Ｅ２）で表される第４級アンモニウム塩が好ましく用いられる。
【００４９】
【化５】
0006404048.tif 000006
【００５０】
〔式中、Ｒ12e、Ｒ13e、Ｒ14e、Ｒ15eは、少なくとも１つが直鎖又は分岐鎖の炭素数６以上、２０以下、好ましくは８以上、１８以下のアルキル基又はアルケニル基を示し、残りが炭素数１以上、３以下アルキル基又はヒドロキシアルキル基を示す。また、Ｌ-は有機又は無機の陰イオン基を示す。〕
【００５１】
これら第４級アンモニウム塩の具体例としては、以下の化合物が挙げられる。
【００５２】
【化６】
0006404048.tif 000007
【００５３】
〔式中、ｈは６以上、２０以下、好ましくは８以上、１８以下の数、ｇ及びｄは同一又は異なって、それぞれ独立に、６以上、２０以下、好ましくは８以上、１８以下の数を示し、Ｒ16eは炭素数１以上、３以下のアルキル基又はヒドロキシアルキル基を示し、Ｑ-は、有機又は無機の陰イオン基、好ましくは、Ｃｌ-、Ｂｒ-等のハロゲンイオン、ＣＨ3ＳＯ4-、ＣＨ3ＣＨ2ＳＯ4-等のアルキルサルフェートイオン、又はＣ11Ｈ23ＣＯＯ-、ＣＨ3ＣＯＯ-等の脂肪酸イオンを示す。〕
【００５４】
これらの中でも、ジオクチルジメチルアンモニウム塩、ジデシルジメチルアンモニウム塩、ジドデシルジメチルアンモニウム塩、ドデシルトリメチルアンモニウム塩、テトラデシルトリメチルアンモニウム塩、テトラデシルジメチルエチルアンモニウム塩及びヘキサデシルトリメチルアンモニウム塩からなる群から選択されるカチオン界面活性剤が好ましい。
【００５５】
両性界面活性剤としては、カルボベタイン、スルホベタイン、ヒドロキシスルホベタインなどが挙げられる。
【００５６】
アニオン界面活性剤としては、アルキル硫酸エステル塩、アルキルエーテル硫酸エステル塩、アルキルベンゼンスルホン酸又はその塩、アルカンスルホン酸又はその塩、飽和又は不飽和脂肪酸塩、アルキル又はアルケニルエーテルカルボン酸塩、α−スルホ脂肪酸塩、α−スルホ脂肪酸エステルなどが挙げられる。これらの中でもアルキルベンゼンスルホン酸又はその塩が好ましい。
【００５７】
（Ｅ）成分としては、（Ｂ）成分の保存安定性の観点から、ノニオン界面活性剤が好ましい。また、（Ｅ）成分中、ノニオン界面活性剤の割合が５０質量％以上、更に６０質量％以上、更に７０質量％以上、更に８０質量％以上、そして、９５質量％以下、更に９０質量％以下、更に８５質量％以下であることが好ましい。
【００５８】
本発明の酸化性組成物は、漂白性能及び保存安定性を高める観点から、（Ｅ）成分を、０．１質量％以上、更に１質量％以上、更に４質量％以上、そして、液の粘度を低くして取り扱いを良好にするために、５０質量％以下、更に３０質量％以下、更に１５質量％以下含有することが好ましい。
【００５９】
＜（Ｆ）成分＞
本発明の酸化性組成物は、（Ｆ）成分として、キレート剤を含有することが好ましい。
【００６０】
（Ｆ）成分は、カルシウムキレート定数（ｐＫＣａ）が４以上、更に４．５以上、更に５以上のキレート剤であることが、組成物の保存安定性の観点から好ましい。ここでｐＫＣａとは、カルシウムイオン電極を用い、キレート剤０．１質量％溶液、ｐＨ１０、２５℃、０．１Ｍ  ＮＨ4Ｃｌ−ＮＨ4ＯＨ緩衝液を用いて測定した値である。
【００６１】
本発明の（Ｆ）成分として用いられるキレート剤の具体例としては、エチレンジアミン４酢酸、ニトリロトリ酢酸、ヒドロキシエチルイミノジ酢酸等のアミノ酸系キレート剤、１−ヒドロキシエチリデン−１，１−ジホスホン酸、エタンヒドロキシ−１，１，２−トリホスホン酸、エタン−１，２−ジカルボキシ−１，２−ジホスホン酸、メタンヒドロキシホスホン酸等のホスホン酸系キレート剤、アクリル酸／マレイン酸コポリマー等のカルボン酸系ポリマー、トリポリリン酸等のポリリン酸系キレート剤を挙げることができる。これらの中でも、ホスホン酸系キレート剤及びカルボン酸系キレート剤からなる群から選択される１以上のキレート剤が好ましい。
【００６２】
本発明の酸化性組成物は、組成物の安定性の観点から、（Ｆ）成分を、好ましくは０．０１質量％以上、更には０．１質量％以上、更には０．２質量％以上、含有する。また、本発明の酸化性組成物は、混合後のｐＨ値をアルカリ性とするために、（Ｆ）成分を、好ましくは３０質量％以下、更には２０質量％以下、更には１０質量％以下、更には５質量％以下、更には３質量％以下、更には１質量％以下、更には０．５質量％以下含有する。
【００６３】
＜（Ｇ）成分＞
（Ｇ）成分として、水を含有することが好ましい。水は、組成物の残部の量（組成物全体を１００質量％とする量）で用いられるのが好ましい。水の含有量は、５０質量％以上であることが好ましく、更に６０質量％以上、更に７０質量％以上、更に８０質量％以上、更に９０質量％以上であることが好ましい。
【００６４】
＜その他の成分＞
本発明の酸化性組成物は、その他の成分として、香料、ｐＨ調整剤、可溶化剤、浸透剤、懸濁化剤、研磨剤、顔料等の任意成分を含有すること出来る。
【００６５】
本発明の酸化性組成物は、風呂・トイレ・台所等の硬質表面の漂白、カビ取り、衣類の漂白、汚れ・匂い原因物質の分解、除菌、パルプの漂白、など、ある対象物に対して酸化作用が有用な効果をもたらす様々な用途に用いることができる。なかでも、本発明の酸化性組成物は、漂白用又は漂白洗浄用であることが好ましい。更に、硬質表面の漂白用又は漂白洗浄用であることが好ましい。
【００６６】
本発明の酸化性組成物は、硬質表面用の漂白剤又は硬質表面用の漂白洗浄剤として用いることが好ましい。また、衣料用洗浄剤として用いることも出来、消臭剤、除菌剤、殺菌剤として使用することも好ましい。カビ取り剤として用いることが好ましく、浴室用のカビ取り剤として用いることも好ましい。カビが発生する硬質表面は一般に耐酸化性が高いこと、及び本発明の酸化性組成物が従来技術では除去困難であったカビ汚れに対して顕著な漂白効果を示すことから、本発明の酸化性組成物は、カビ取り剤として用いることがより好ましい。
【００６７】
本発明の酸化性組成物は、水を含有する液体形態である。本発明の酸化性組成物は、２０℃のｐＨが９以上、更に１０以上、更１１以上、そして、１３以下、更に１２．８以下、更に１２．５以下であることが好ましい。
【００６８】
本発明により、（Ａ）成分、（Ｂ）成分、（Ｃ）成分、（Ｄ）成分、及び水を含有する液体漂白剤組成物又は液体漂白洗浄剤組成物が提供される。
また、本発明により、（Ａ）成分、（Ｂ）成分、（Ｃ）成分、（Ｄ）成分、及び水を含有する、硬質表面用液体漂白剤組成物又は硬質表面用液体漂白洗浄剤組成物が提供される。
また、本発明により、（Ａ）成分、（Ｂ）成分、（Ｃ）成分、（Ｄ）成分、及び水を含有する、硬質表面用カビ取り剤組成物、更に浴室用カビ取り剤組成物が提供される。
【００６９】
一例として、本発明の酸化性組成物が衣料用液体漂白洗浄剤組成物である場合の好ましい含有量を以下に示す。
衣料用液体漂白洗浄剤組成物中の（Ａ）成分の含有量は、０．０１質量％以上、更に０．１質量％以上、更に０．１５質量％以上、そして、１０質量％以下、更に５質量％以下、更に３質量％以下、更に１質量％以下、更に０．５質量％以下が好ましい。また、衣料用液体漂白洗浄剤組成物中の（Ｂ）成分の含有量は、０．０１質量％以上、更に０．１質量％以上、更に１質量％以上、そして、３０質量％以下、更に１０質量％以下、更に５質量％以下、更に３質量％以下が好ましい。また、衣料用液体漂白洗浄剤組成物中の（Ｃ）成分の含有量は、０．０１質量％以上、更に０．１質量％以上、更に１質量％以上、更に１．４質量％以上、そして、５０質量％以下、更に３０質量％以下、更に１０質量％以下、更に５質量％以下、更に２質量％以下が好ましい。また、衣料用液体漂白洗浄剤組成物中の（Ｄ）成分の含有量は、０．０１質量％以上、更に０．１質量％以上、更に１質量％以上、そして、５０質量％以下、更に３０質量％以下、更に１０質量％以下、更に５質量％以下、更に２質量％以下が好ましい。また、（Ｅ）成分を用いる場合、衣料用液体漂白洗浄剤組成物中の（Ｅ）成分の含有量は、０．１質量％以上、更に１質量％以上、更に４質量％以上、そして、５０質量％以下、更に３０質量％以下、更に１５質量％以下が好ましい。また、（Ｆ）成分を用いる場合、衣料用液体漂白洗浄剤組成物中の（Ｆ）成分の含有量は、０．０１質量％以上、更に０．１質量％以上、更に０．１５質量％以上、そして、３０質量％以下、更に２０質量％以下、更に１０質量％以下、更に５質量％以下、更に１質量％以下、更に０．５質量％以下が好ましい。これらの含有量は、本発明の酸化性組成物が、衣料用液体漂白剤組成物である場合にも同様に適用できる。
【００７０】
一例として、本発明の酸化性組成物が、硬質表面用漂白洗浄剤組成物である場合の好ましい含有量を以下に示す。
硬質表面用漂白洗浄剤組成物中の（Ａ）成分の含有量は、０．０１質量％以上、更に０．１質量％以上、更に０．１５質量％以上、そして、２０質量％以下、更に１０質量％以下、更に５質量％以下、更に３質量％以下、更に１質量％以下、更に０．９質量％以下が好ましい。また、硬質表面用漂白洗浄剤組成物中の（Ｂ）成分の含有量は、０．０１質量％以上、更に０．１質量％以上、更に１質量％以上、更に１．５質量％以上、そして、５０質量％以下、更に３０質量％以下、更に１０質量％以下、更に５質量％以下、更に３質量％以下が好ましい。また、硬質表面用漂白洗浄剤組成物中の（Ｃ）成分の含有量は、０．０１質量％以上、更に０．１質量％以上、更に１質量％以上、更に１．４質量％以上、そして、５０質量％以下、更に３０質量％以下、更に１０質量％以下、更に５質量％以下、更に２質量％以下、更に１．５質量％以下が好ましい。また、硬質表面用漂白洗浄剤組成物中の（Ｄ）成分の含有量は、０．０１質量％以上、更に０．１質量％以上、更に１質量％以上、そして、５０質量％以下、更に３０質量％以下、更に１０質量％以下、更に５質量％以下、更に２質量％以下が好ましい。また、（Ｅ）成分を用いる場合、硬質表面用漂白洗浄剤組成物中の（Ｅ）成分の含有量は、０．１質量％以上、更に１質量％以上、更に４質量％以上、そして、５０質量％以下、更に３０質量％以下、更に１５質量％以下が好ましい。また、（Ｆ）成分を用いる場合、硬質表面用漂白洗浄剤組成物中の（Ｆ）成分の含有量は、０．０１質量％以上、更に０．１質量％以上、更に０．１５質量％以上、そして、３０質量％以下、更に２０質量％以下、更に１０質量％以下、更に５質量％以下、更に１質量％以下、更に０．５質量％以下が好ましい。これらの含有量は、本発明の酸化性組成物が、硬質表面用漂白剤組成物、カビ取り剤組成物又は浴室用カビ取り剤組成物である場合にも同様に適用できる。
【００７１】
本発明は、有機過酸前駆体及び有機過酸からなる群から選択される１以上の化合物〔（Ｂ）成分〕と、過酸化水素及び水中で過酸化水素を生成する過酸化物からなる群から選択される１以上の化合物〔（Ｃ）成分〕とアルカリ剤〔（Ｄ）成分〕とを用いて得た酸化性組成物の酸化力が、前記一般式（Ａ１）で表される化合物から選択される１以上の化合物〔（Ａ）成分〕により、飛躍的に向上すること、すなわち、（Ｂ）成分と（Ｃ）成分の併用系において（Ａ）成分の効果が著しいことを見いだしたものである。本発明により、有機過酸前駆体及び有機過酸からなる群から選択される１以上の化合物〔（Ｂ）成分〕と、過酸化水素及び水中で過酸化水素を生成する過酸化物からなる群から選択される１以上の化合物〔（Ｃ）成分〕とアルカリ剤〔（Ｄ）成分〕とを用いて得た酸化性組成物に、前記一般式（Ａ１）で表される化合物から選択される１以上の化合物〔（Ａ）成分〕を適用して前記酸化性組成物の酸化力を向上させる、酸化性組成物の酸化力向上方法が提供される。
【００７２】
一般に、色素（色素化合物）に対して、過酸化水素〔（Ｃ）成分〕は酸化剤として作用するが、過酸化水素と有機過酸前駆体〔（Ｂ）成分〕とを併用することで、より酸化力の高い有機過酸が生じるため、漂白分野では、しばしば過酸化水素と有機過酸前駆体とを併用することが行われる。そのため、有機過酸前駆体は漂白活性化剤としても知られていたが、その効果は公知技術の範疇に留まっており、更に抜本的に漂白力を向上させる技術が望まれていた。本発明では、（Ｂ）成分と（Ｃ）成分とを併用した系において、（Ａ）成分を存在させることで、漂白力を大幅に向上させることが可能となった。これは、（Ａ）成分が過酸化水素と反応して（Ａ）成分の活性種が生成し、これが色素化合物に作用することで、色素化合物が有機過酸の酸化力を受けやすい状態になるためであると推察される。本発明によれば、特定構造の（Ａ）成分を選定して用いることにより、従来技術では漂白することが困難であった対象物の漂白が可能となり、更には酸化剤の各種対象物に有用な効果を示すことが可能となる。
【００７３】
＜酸化性組成物用多剤型物品＞
本発明の酸化性組成物用多剤型物品は、（Ａ）成分、（Ｂ）成分、（Ｃ）成分、（Ｄ）成分、及び水から選択される成分を含む剤の組み合わせからなり、（Ａ）成分と（Ｃ）成分が別の剤に配合されている。剤の数は２つ以上であり、好ましくは２つである。剤は、液体組成物、粉末組成物、ゲル状組成物など、いずれの形態であってもよい。形態が液体であることが好ましい。また、剤は、これらの組成物とその容器又は包装部材との結合物であってもよい。
【００７４】
本発明の酸化性組成物用多剤型物品は、（Ａ）成分、（Ｂ）成分、（Ｃ）成分、（Ｄ）成分を使用直前に混合して本発明の組成物を調製するのに好適である。（Ｃ）成分の安定性の観点で、（Ａ）成分と（Ｃ）成分とを分離した状態で保持しておき、使用直前に（Ａ）成分、（Ｂ）成分、（Ｃ）成分を混合することが好ましい。このような使用形態を考慮した場合、（Ａ）成分、（Ｂ）成分、（Ｃ）成分、（Ｄ）成分、及び水から選択される成分を含む剤の組み合わせからなり、（Ａ）成分と（Ｃ）成分が別の剤に配合されている、本発明の酸化性組成物用多剤型物品は好適である。本発明の酸化性組成物用多剤型物品は、複数の剤を混合して得られる酸化性組成物が、（Ａ）成分、（Ｂ）成分、（Ｃ）成分、（Ｄ）成分を、前記本発明の酸化性組物における含有量の範囲で含有することが好ましい。
【００７５】
本発明の酸化性組成物用多剤型物品は、（Ａ）成分を含有する剤と、これとは異なる（Ｃ）成分を含有する剤とを含む。
（Ａ）成分を含有する剤は、水を含有する液体組成物であることが好ましく、その場合、当該組成物のｐＨは、２０℃で、１１以上、更に１２以上、更に１３以上、そして、１３．８以下、更に１３．６以下であることが好ましい。
また、（Ｄ）成分を含有する剤は、水を含有する液体組成物であることが好ましく、その場合、当該組成物のｐＨは、２０℃で、１以上、更に２以上、更２．５以上、そして、５以下、更に４以下、更に３．５以下であることが好ましい。
【００７６】
本発明の酸化性組成物用多剤型物品として、（Ａ）成分、（Ｄ）成分、及び水を含有する第１の液体組成物からなる第１の剤と、（Ｂ）成分、（Ｃ）成分、及び水を含有する第２の液体組成物からなる第２の剤との組み合わせを含む酸化性組成物用多剤型物品であって、前記第１の剤と第２の剤とを分離した状態で保持し、第１の剤と第２の剤が混合されて、（Ａ）成分、（Ｂ）成分、（Ｃ）成分、（Ｄ）成分、及び水を含有する酸化性組成物が調製される、酸化性組成物用多剤型物品が挙げられる。
【００７７】
本発明の酸化性組成物用多剤型物品として、（Ａ）成分、（Ｂ）成分、（Ｃ）成分、（Ｄ）成分、及び水から選択される成分を含む剤の組み合わせからなり、（Ａ）成分と（Ｃ）成分が別の剤に配合されている、漂白剤組成物用多剤型物品が挙げられる。
また、本発明の酸化性組成物用多剤型物品として、（Ａ）成分、（Ｂ）成分、（Ｃ）成分、（Ｄ）成分、及び水から選択される成分を含む剤の組み合わせからなり、（Ａ）成分と（Ｃ）成分が別の剤に配合されている、漂白洗浄剤組成物用多剤型物品が挙げられる。
なお、多剤型物品は、１つ１つの剤が独立した物品となっている形態（例えばキットなど）や１つ１つの剤を１つの物品にまとめた形態（例えば２剤型スプレー式物品など）など、種々の形態であってよい。
これら酸化性組成物用多剤型物品は、（Ａ）成分、（Ｂ）成分、（Ｃ）成分、（Ｄ）成分、及び水を混合して本発明の酸化性組成物、更に本発明の漂白剤組成物、本発明の漂白洗浄剤組成物を調製するために好適である。
【００７８】
本発明の酸化性組成物用多剤型物品、更に漂白剤組成物用多剤型物品又は漂白洗浄剤組成物用多剤型物品では、少なくとも（Ａ）成分と（Ｃ）成分を分離した状態で保持し、使用時に（Ａ）成分、（Ｂ）成分、（Ｃ）成分、（Ｄ）成分、及び水を混合して用いることが好ましい。また、本発明の漂白剤組成物用多剤型物品又は漂白洗浄剤組成物用多剤型物品では、（Ａ）成分及び（Ｄ）成分を含有する剤と、（Ｂ）成分及び（Ｃ）成分を含有する剤とを含むことが好ましい。
【００７９】
また、本発明の酸化性組成物用多剤型物品、更に漂白剤組成物用多剤型物品又は漂白洗浄剤組成物用多剤型物品では、内容物の安定性を高めるために、（Ａ）成分及び（Ｄ）成分を含有する剤と、（Ｂ）成分及び（Ｃ）成分を含有する剤との２剤に分けて保持し、使用時に混合して用いることがより好ましい。
【００８０】
本発明の漂白剤組成物用多剤型物品の一例として、（Ａ）成分、（Ｄ）成分、及び水を含有する第１の液体組成物からなる第１の剤と、（Ｂ）成分、（Ｃ）成分、及び水を含有する第２の液体組成物からなる第２の剤との組み合わせを含む漂白剤組成物用多剤型物品であって、前記第１の剤と第２の剤とを分離した状態で保持し、第１の剤と第２の剤が混合されて、（Ａ）成分、（Ｂ）成分、（Ｃ）成分、（Ｄ）成分及び水を含有する漂白剤組成物が調製される、漂白剤組成物用多剤型物品（以下、漂白剤組成物用多剤型物品１という）が挙げられる。
【００８１】
この漂白剤組成物用多剤型物品１では、第１の剤中の（Ａ）成分の含有量は、０．０２質量％以上、更に０．２質量％以上、更に０．３質量％以上が好ましく、そして、４０質量％以下、更に２０質量％以下、更に５質量％以下、更に２質量％以下が好ましい。漂白剤組成物用多剤型物品１では、（Ｄ）成分を用いて第１の液体組成物のｐＨを調整することが好ましい。第１の剤中の（Ｄ）成分の含有量は、０．０２質量％以上、更に０．２質量％以上、更に２質量％以上が好ましく、そして、５０質量％以下、更に２０質量％以下、更に１０質量％、更に５質量％以下が好ましい。水は残部となる量で用いられる。第１の剤は、（Ｃ）成分を含有しないことが好ましい。第１の液体組成物のｐＨは、２０℃で、１１以上、更に１２以上、更に１３以上、そして、１３．８以下、更に１３．６以下であることが好ましい。
【００８２】
また、この漂白剤組成物用多剤型物品１では、第２の剤中の（Ｂ）成分の含有量は、０．０２質量％以上、更に０．２質量％以上、更に２質量％以上、更に３質量％以上が好ましく、そして、５０質量％以下、更に３０質量％以下、更に１０質量％以下、更に５質量％以下が好ましい。また、この漂白剤組成物用多剤型物品１では、第２の剤中の（Ｃ）成分の含有量は、０．０２質量％以上、更に０．２質量％以上、更に２質量％以上が好ましく、そして、５０質量％以下、更に３０質量％以下、更に１０質量％以下、更に５質量％以下、更に３質量％以下が好ましい。水は残部となる量で用いられる。第２の液体組成物のｐＨは、２０℃で、１以上、更に２以上、更２．５以上、そして、５以下、更に４以下、更に３．５以下であることが好ましい。
【００８３】
本発明の漂白洗浄剤組成物用多剤型物品の一例として、（Ａ）成分、（Ｄ）成分、及び水を含有する第１の液体組成物からなる第１の剤と、（Ｂ）成分、（Ｃ）成分、及び水を含有する第２の液体組成物からなる第２の剤との組み合わせを含む漂白洗浄剤組成物用多剤型物品であって、前記第１の剤と第２の剤とを分離した状態で保持し、第１の剤と第２の剤が混合されて、（Ａ）成分、（Ｂ）成分、（Ｃ）成分、（Ｄ）成分、及び水を含有する漂白洗浄剤組成物が調製される、漂白洗浄剤組成物用多剤型物品（以下、漂白洗浄剤組成物用多剤型物品１という）が挙げられる。この漂白洗浄剤組成物用多剤型物品１においても、第１の剤中の（Ａ）成分の含有量、（Ｄ）成分の含有量、第２の剤中の（Ｂ）成分の含有量、第２の剤中の（Ｃ）成分の含有量、第１の剤のｐＨ、第２の剤のｐＨは、それぞれ、前記漂白剤組成物用多剤型物品１で述べた範囲が適用できる。また、何れの剤においても、水は残部となる量で用いられる。また、第１の剤は、（Ｃ）成分を含有しないことが好ましい。
【００８４】
本発明の酸化性組成物用多剤型物品、更に前記漂白剤組成物用多剤型物品１又は漂白洗浄剤組成物用多剤型物品１では、第１の剤及び第２の剤の少なくとも一方が（Ｅ）成分を含有することが好ましい。第１の剤及び第２の剤の両方が（Ｅ）成分を含有することがより好ましい。第１の剤が（Ｅ）成分を含有する場合、第１の剤中の（Ｅ）成分の含有量は０．０１質量％以上、更に０．１質量％以上、更に０．４質量％以上が好ましく、そして、５質量％以下、更に３質量％以下、更に１．０質量％以下、更に０．６質量％以下が好ましい。また、第２の剤が（Ｅ）成分を含有する場合、第２の剤中の（Ｅ）成分の含有量は、０．０１質量％以上、更に０．１質量％以上、更に０．５質量％以上、更に３質量％以上、更に５質量％以上が好ましく、そして、５０質量％以下、更に３０質量％以下、更に１０質量％以下が好ましい。
【００８５】
また、本発明の酸化性組成物用多剤型物品、更に前記漂白剤組成物用多剤型物品１又は漂白洗浄剤組成物用多剤型物品１では、第２の剤が（Ｆ）成分を含有することが好ましい。その場合、第２の剤中の（Ｆ）成分の含有量は、０．０１質量％以上、更に０．１質量％以上、更に０．３質量％以上が好ましく、そして、２．０質量％以下、更に１．０質量％以下、更に０．５質量％以下が好ましい。
【００８６】
漂白剤組成物用多剤型物品１又は漂白洗浄剤組成物用多剤型物品１のような本発明の多剤型物品では、（Ｅ）成分、（Ｆ）成分は、第１、第２の液体組成物の何れに配合してもよいが、それぞれが、少なくとも第２の液体組成物に配合されていることが好ましい。
【００８７】
本発明の酸化性組成物用多剤型物品、更に漂白剤組成物用多剤型物品又は漂白洗浄剤組成物用多剤型物品が、前記のような２剤型である場合には、第１の剤と第２の剤を分離して収容する収容部と各収容部から内容物を噴霧する２つのスプレー手段とを備えた容器を用いた２剤型スプレー式酸化剤物品、更に２剤型スプレー式漂白剤物品又は２剤型スプレー式漂白洗浄剤物品であることが好ましい。この形態のスプレー物品では、それぞれの収容部から排出される第１の液体組成物と第２の液体組成物が噴出直後に合一されて混合した状態で対象物に噴射されることが好ましい。従って、それぞれのスプレー口から噴射された内容物が混合されて対象物に付着するよう、スプレー口の開口方向の角度を調整することが好ましい。２剤型スプレー式漂白剤物品又は２剤型スプレー式漂白洗浄剤物品である場合には、スプレーから噴出する前に液が接しないように、２個のスプレー口を有する容器が好ましい。また、噴出した液が先端部分で固化することを防止するために、２個のスプレー口の間隔は０．０１ｍｍ以上、好ましくは０．１ｍｍ以上、より好ましくは１ｍｍ以上、更に好ましくは３ｍｍ以上であることが好ましく、噴出した液が混合しやすくするために、１０ｍｍ以下、更には８ｍｍ以下、更には５ｍｍ以下であることが好ましい。
【００８８】
本発明は、
（Ａ）成分、（Ｄ）成分及び水を含有する第１の液体組成物からなる第１の剤が収容された第１の収容部と、
（Ｂ）成分、（Ｃ）成分及び水を含有する第２の液体組成物からなる第２の剤が収容された第２の収容部と、
スプレー口を有し、前記第１の収容部から前記第１の液体組成物を噴霧する第１のスプレー手段と、
スプレー口を有し、前記第２の収容部から前記第２の液体組成物を噴霧する第２のスプレー手段と、
を備え、
前記第１の収容部と前記第２の収容部により、前記第１の液体組成物と前記第２の液体組成物が分離されており、
前記第１のスプレー手段のスプレー口と前記第２のスプレー手段のスプレー口が、前記第１の液体組成物と前記第２の液体組成物が噴射後に混合されるよう、設けられている、２剤型スプレー式漂白剤物品を提供する。この２剤型スプレー式漂白剤物品においても、第１の液体組成物中の（Ａ）成分の含有量、第１の液体組成物中の（Ｄ）成分の含有量、第２の液体組成物中の（Ｂ）成分の含有量、第２の液体組成物中の（Ｃ）成分の含有量、第１の液体組成物のｐＨ、第２の液体組成物のｐＨは、それぞれ、前記漂白剤組成物用多剤型物品１で述べた範囲が適用できる。また、何れの液体組成物においても、水は残部となる量で用いられる。また、第１の剤は、（Ｃ）成分を含有しないことが好ましい。
【００８９】
また、本発明は、
（Ａ）成分、（Ｄ）成分及び水を含有する第１の液体組成物からなる第１の剤が収容された第１の収容部と、
（Ｂ）成分、（Ｃ）成分及び水を含有する第２の液体組成物からなる第２の剤が収容された第２の収容部と、
スプレー口を有し、前記第１の収容部から前記第１の液体組成物を噴霧する第１のスプレー手段と、
スプレー口を有し、前記第２の収容部から前記第２の液体組成物を噴霧する第２のスプレー手段と、
を備え、
前記第１の収容部と前記第２の収容部により、前記第１の液体組成物と前記第２の液体組成物が分離されており、
前記第１のスプレー手段のスプレー口と前記第２のスプレー手段のスプレー口が、前記第１の液体組成物と前記第２の液体組成物が噴射後に混合されるよう、設けられている、２剤型スプレー式漂白洗浄剤物品を提供する。この２剤型スプレー式漂白洗浄剤物品においても、第１の液体組成物中の（Ａ）成分の含有量、第１の液体組成物中の（Ｄ）成分の含有量、第２の液体組成物中の（Ｂ）成分の含有量、第２の液体組成物中の（Ｃ）成分の含有量、第１の液体組成物のｐＨ、第２の液体組成物のｐＨは、それぞれ、前記漂白洗浄剤組成物用多剤型物品１で述べた範囲が適用できる。また、何れの液体組成物においても、水は残部となる量で用いられる。また、第１の剤は、（Ｃ）成分を含有しないことが好ましい。
【００９０】
また、本発明の漂白剤組成物用多剤型物品又は漂白洗浄剤組成物用多剤型物品が、前記のような２剤型である場合には、第１の剤と第２の剤を分離して収容する収容部と、各収容部から内容物を搬送し合流させる経路と、合流した剤を噴霧する１つのスプレー手段とを備えた容器を用いた２剤型スプレー式漂白剤物品又は２剤型スプレー式漂白洗浄剤物品であってもよい。この形態のスプレー物品では、それぞれの収容部から排出される第１の液体組成物と第２の液体組成物が噴出直後に合一されて混合した状態に搬送されスプレー口から対象物に噴射されることが好ましい。
【００９１】
なお、漂白剤組成物用多剤型物品、漂白洗浄剤組成物用多剤型物品、２剤型スプレー式漂白剤物品、２剤型スプレー式漂白洗浄剤物品で述べた事項は、他の酸化剤組成物を用いた物品（例えばカビ取り剤）に適用できる。従って、例えば、前記の漂白剤組成物用多剤型物品や漂白洗浄剤組成物用多剤型物品を、カビ取り剤用多剤型物品として、また、２剤型スプレー式漂白剤物品や２剤型スプレー式漂白洗浄剤物品を、２剤型スプレー式カビ取り剤物品として用いることができる。
【００９２】
＜漂白方法＞
本発明の酸化性組成物を漂白目的で使用する場合、（Ａ）成分、（Ｂ）成分、（Ｃ）成分、（Ｄ）成分、及び水を含有する漂白用液体組成物を漂白対象物に接触させることが好ましい。漂白用液体組成物は、本発明の酸化性組成物用多剤型物品から調製された本発明の酸化性組成物又は本発明の酸化性組成物を濃度調整したものが用いられる。なお、この漂白用液体組成物もまた酸化性組成物である。
【００９３】
漂白対象物が硬質表面である場合、漂白用液体組成物中の（Ａ）成分の含有量は、０．０１質量％以上、更に０．１質量％以上、更に０．１５質量％以上、そして、２０質量％以下、更に１０質量％以下、更に５質量％以下、更に３質量％以下、更に１質量％以下、更に０．９質量％以下が好ましい。また、漂白用液体組成物中の（Ｂ）成分の含有量は、０．０１質量％以上、更に０．１質量％以上、更に１質量％以上、更に２質量％以上、そして、５０質量％以下、更に３０質量％以下、更に１０質量％以下、更に５質量％以下が好ましい。また、漂白用液体組成物中の（Ｃ）成分の含有量は、０．０１質量％以上、更に０．１質量％以上、更に１質量％以上、更に１．４質量％以上、そして、５０質量％以下、更に３０質量％以下、更に１０質量％以下、更に５質量％以下、更に２質量％以下が好ましい。また、漂白用液体組成物中の（Ｄ）成分の含有量は、０．０１質量％以上、更に０．１質量％以上、更に１質量％以上、そして、５０質量％以下、更に３０質量％以下、更に１０質量％以下、更に５質量％以下、更に２質量％以下が好ましい。また、（Ｅ）成分を用いる場合、漂白用液体組成物中の（Ｅ）成分の含有量は、０．１質量％以上、更に１質量％以上、更に４質量％以上、そして、５０質量％以下、更に３０質量％以下、更に１５質量％以下が好ましい。また、（Ｆ）成分を用いる場合、漂白用液体組成物中の（Ｆ）成分の含有量は、０．０１質量％以上、更に０．１質量％以上、更に０．１５質量％以上、そして、３０質量％以下、更に２０質量％以下、更に１０質量％以下、更に５質量％以下、更に１質量％以下、更に０．５質量％以下が好ましい。
【００９４】
また、漂白用液体組成物のｐＨは、２０℃で、１０以上、更に１１以上、更に１２以上、そして、１３以下、更に１２．５以下であることが好ましい。
【００９５】
漂白用液体組成物における各成分の含有量とｐＨは、本発明の酸化性組成物の使用時の各成分の含有量及びｐＨとして位置付けることができる。
【００９６】
本発明は、
（Ａ）成分、（Ｂ）成分、（Ｃ）成分、（Ｄ）成分、及び水を混合して酸化性組成物を調製する第１のステップ、
第１のステップで調製された酸化性組成物を漂白対象物に接触させる第２のステップ、を含む漂白方法を提供する。第１のステップで、（Ｅ）成分、（Ｆ）成分から選ばれる成分を混合することができる。
【００９７】
また、本発明は、
（Ａ）成分、及び水を含有する第１の液体組成物と、（Ｂ）成分、（Ｃ）成分及び水を含有する第２の液体組成物とを混合して、（Ａ）成分、（Ｂ）成分、（Ｃ）成分、及び水を含有する酸化性組成物を調製する第１のステップ、
第１のステップで調製された酸化性組成物を漂白対象物に接触させる第２のステップ、を含む漂白方法を提供する。第１のステップで用いる第１の液体組成物と第２の液体組成物には、それぞれ、（Ｄ）成分、（Ｅ）成分、（Ｆ）成分から選ばれる成分を適宜混合することができる。
【００９８】
これらの漂白方法では、酸化性組成物は前記した漂白用液体組成物であってよく、（Ａ）成分〜（Ｃ）成分の好ましい態様、酸化性組成物の好ましい態様、漂白用液体組成物の好ましい態様、第１の液体組成物、第２の液体組成物などは、何れも前述のものが適用できる。また、漂白方法は、カビ取り方法であってよい。
【００９９】
本発明の酸化性組成物は、カビ取り剤組成物としての用途の他に、風呂・トイレ・台所等の硬質表面の漂白、衣類の漂白、汚れ・匂い原因物質の分解、除菌、パルプの漂白、繊維の精練などにも使用することが出来る。
【実施例】
【０１００】
表１に示す組成のＡ液及びＢ液を調製し、両者を等量（体積比１：１）混合し、酸化性組成物であるカビ取り剤組成物を得た〔（Ｃ）成分の含有量は過酸化水素としての量である。〕。Ａ液とＢ液は、硫酸及び／又は水酸化ナトリウムを用いてｐＨを調整した。この組成物を使用し、下記のカビ汚れ洗浄試験を実施した。その結果を下記表１に示す。なお、Ａ液とＢ液を等量混合した組成物のｐＨ（２０℃）は、何れも１２．０であった。また、Ａ液とＢ液を等量混合した直後の組成物中の各成分の含有量は、表１中の数値（質量％）の１／２となった。なお、各実施例の（Ａ）成分の含有量が同モル濃度となるように、（Ａ）成分の質量濃度を調整した。
【０１０１】
＜カビ汚れ洗浄試験＞
クラドスポリウム（Cladosporium）属細菌を素焼きタイルに接種し、温度３０℃、湿度１００％ＲＨで６０日間培養したものをカビ発生タイルとし、漂白性能を比較した。
【０１０２】
カビ発生タイルに上記カビ取り剤組成物を２０μｌ滴下し、直径約１ｃｍとし、２５℃で２０分放置後、水洗、風乾した後、色差計（日本電色工業製ＳＥ６０００）を用いて明度（Ｌ）値を測定し、次式により漂白率を算出した。
【０１０３】
【数１】
0006404048.tif 000008
【０１０４】
【表１】
0006404048.tif 000009
【０１０５】
表中の比較化合物１〜３は以下の化合物である。
【０１０６】
【化７】
0006404048.tif 000010
【０１０７】
表１中、（Ｂ）成分の有機過酸前駆体と（Ｃ）成分の過酸化水素の併用系である比較品１に比べ、更に（Ａ）成分を配合した本発明品１〜６では、漂白率がより大きくなっていた。本発明品１〜６から、（Ｂ）成分と（Ｃ）成分の併用系に（Ａ）成分を用いることで、漂白率が大幅に向上することがわかった。